【事件の表示】
　平成　４年特許願第２７３１３９号「外壁の化粧方法」拒絶査定に対する審判事件［平成　６年　４月１２日出願公開、特開平　６−１０１３１９］について、次のとおり審決する。
【結　論】
　本件審判の請求は、成り立たない。
【理　由】
１．手続の経緯、本件発明
　本願は、平成４年１０月１２日（優先権主張平成４年８月４日）に特許出願されたものであって、その請求項１に係る発明は、平成１３年５月２日付け手続補正書により補正された明細書及び図面の記載からみて、その特許請求の範囲の請求項１に記載された次のとおりのものと認める。
 「【請求項１】基材の表面に耐候性湿気硬化型接着剤を一定の厚さに塗付して表面化粧板を接着し、そのまま目地を打たずに外壁として使用する外壁の化粧方法であって、上記耐候性湿気硬化型接着剤が、ａ）分子中に１個以上の反応性珪素基を有する高分子化合物（Ａ）及びその硬化促進剤（Ｂ）よりなるシリコーン系及び／又は変成シリコーン系接着剤、及び／又はｂ）上記（Ａ）及び／又は（Ｂ）とエポキシ基を有する化合物（Ｃ）およびその硬化剤（Ｄ）の混合物よりなる変成シリコーン系エポキシ接着剤であり、上記ａ）及び／又はｂ）に、さらにｃ）分子末端に反応性珪素を有するアクリル酸エステル系重合体または共重合体及び／又はメタクリル酸エステル系重合体または共重合体、及び／またはｄ）分子中に少なくとも１個以上の反応性珪素と１個以上のアクリル酸エステル及び／又はメタクリル酸エステルを含む下記式（Ｉ）で示される化合物（Ｅ）を配合することを特徴とする外壁の化粧方法。
【化１】
〔式（Ｉ）中、Ｒ1はＨ又はＣＨ3、Ｒ2は炭素数１〜１０の置換若しくは非置換の１価の有機基又はトリオルガノシロキサン基、Ｘは水酸基又は異質もしくは同様の加水分解基、ｎは０〜８の整数、ｍは０、１、２または３である。〕」（以下「本願発明」という）。
　
２．引用刊行物の記載事項
　これに対して、原査定の拒絶の理由で引用された刊行物には、以下の事項が記載されている。
　実願昭６３−１５９９０３号（実開平２−７９７３８号）のマイクロフィルム（以下「引用例１」という）には、「建物の外壁等に用いられるタイル及びタイルが貼られた壁」（第１頁第２０行〜第２頁第１行）について記載され、「タイルの裏面の内側に裏足を設け・・・その裏足部分で壁下地面に接着剤層を介して複数枚隣接して接着し、上記タイルの空隙部を雨水の流れる排水溝とした」（実用新案登録請求の範囲第２項）、「接着剤層３は・・・特に弾性を有する接着剤が、振動や衝撃によるタイル１の剥がれ落ちを防止する効果があるので好ましい。弾性を有する接着剤としては、変成シリコン樹脂を含む接着剤が好ましい。例えば、変成シリコン樹脂系接着剤、ウレタン樹脂系接着剤と変成シリコン樹脂の混合物からなる接着剤、エポキシ樹脂系接着剤と変成シリコン樹脂の混合物からなる接着剤などである。」（第６頁第１３行〜第７頁第２行）と記載されている。
　これらの記載及び図面の記載からみて、引用例１には、「壁下地材の表面に接着剤を一定の厚さに塗付してタイルを接着し、そのまま目地を打たずに外壁として使用する外壁の化粧方法において、接着剤が、変成シリコーン系接着剤、又は変成シリコーン系エポキシ接着剤である外壁の化粧方法」の発明が記載されていると認める。
　
　特開平２−２１４７５９号公報（以下「引用例２」という）には、
「（Ａ）反応性珪素基を少なくとも１個有する（メタ）アクリル酸アルキルエステル系重合体、（Ｂ）反応性珪素基を少なくとも１個有するオキシアルキレン系重合体、及び（Ｃ）エポキシ樹脂を含有してなる硬化性組成物」（２頁右上欄１１〜１６行）について記載され、「本発明の硬化性組成物から得られる硬化物は、優れた接着性を有する他、土木用接着剤等において重要な耐候性にも優れたものである。」（２頁右上欄１７〜左下欄１行）、「反応性珪素基は（メタ）アクリル酸アルキルエステル系重合体分子鎖の末端に存在してもよく、内部に存在してもよく、或いは両方に存在してもよい。特に反応性珪素基が分子鎖の末端に存在する場合には、・・・高強度で高伸びのゴム状硬化物が得られ易くなる等の点から好ましい。」（４頁右下欄５〜１３行）、「本発明の硬化性組成物には、該組成物の硬化性を向上させるため、シラノール縮合触媒、エポキシ樹脂硬化剤等を必要に応じて配合してもよい。」（１０頁左上欄第１６〜１８行）と記載されている。
　さらに、実施例の合成例１には、（Ｂ）成分である、分子末端に反応性珪素基を有するポリオキシプロピレン系重合体を合成することが、合成例２には、（メタ）アクリル酸アルキルエステルとγ−メタクリロキシプロピルトリメトキシシランを含むモノマー混合液から（Ａ）成分を合成すること（１２頁右上欄下から３行〜右下欄１１行）が記載され、実施例１〜８には、
「（Ｂ）成分である合成例１で得られたポリマーと 、（Ａ）成分である合成例２で得られたポリマー及び（Ｃ）成分としてエピコート８２４（油化シェルエポキシ（株）製、ビスフェノールＡ型エポキシ樹脂）とを固形分比が下記第１表で示した割合となるように配合し、混合した後、・・・合成例１で得られたポリマーと 合成例２で得られたポリマーの総量１００に対して、・・・シラノール縮合触媒として♯９１８（三共（株）製の有機スズ化合物）１部及び水０．４部を、エピコート８２４　１００部に対してエポキシ樹脂硬化剤として２，４，６−トリス（ジメチルアミノメチル）フェノール（以下「ＤＭＰ−３０」という）１０部をそれぞれ添加混合した組成物」の引張剪断接着強さ、剥離接着強さ優れていることが示され、実施例９には実施例１〜８と同様にして製造された組成物の耐候性が優れていることが記載されている（１３頁右上欄６行〜１４頁右下欄下から６行）。
　
　特開平３−２６３４７８号公報（引用例３）には、湿気硬化型接着剤によるコンタクト型接着方法に関して記載され、該接着方法に用いられる接着剤として「（ａ）分子中に１個以上の反応性珪素基を有する高分子化合物（Ａ）よりなるシリコーン系接着剤及び変性シリコーン系接着剤、（ｂ）分子中１個以上のイソシアネート基を有する高分子化合物（Ｂ）よりなるウレタン系接着剤及び（ｃ）上記（Ａ）及び／又は（Ｂ）とエポキシ基を有する化合物より構成される特殊タイプのエポキシ系接着剤の少なくともいずれか一種である接着剤」（特許請求の範囲第４項）が記載され、さらに、「コンタクト接着方法において使用可能な接着剤は、・・硬化促進剤を・・配合して得られる。」（３頁左下欄８〜１０行）と記載されている。
　そして、５頁左下欄の第２表には、接着剤組成物Ｂとして、「合成例１」で合成された（メタ）アクリル酸アルキルエステルとγ−メタクリロキシプロピルトリメトキシシランを含むモノマー混合液から合成された（メタ）アクリル酸エステル系重合体と、「合成例６」で合成された、分子末端に反応性珪素基を有するポリオキシプロピレン、及び硬化促進剤であるジブチル錫オキサイド溶液を配合した接着剤、及び接着剤組成物Ｃとして、「合成例１」で合成された（メタ）アクリル酸エステル系重合体と、「合成例７」で合成された、分子末端に反応性珪素基を有するポリオキシプロピレン、及び硬化促進剤であるジブチル錫オキサイド溶液を配合した接着剤が記載され、実施例９〜１２には、組成物Ｂ、Ｃを軟鋼板の接着に用い、手で容易にズレない固定性、手で容易に剥がれない接着性が得られたことが記載されている（６頁右上欄末行〜右下欄）。
　
３．対比・判断
　本願発明と引用例１記載の発明を対比すると、引用例１記載の「壁下地材」、「タイル」はそれぞれ本願発明の「基材」及び「表面化粧材」に相当するから、本願発明と引用例１記載の発明とは、「基材の表面に耐候性湿気硬化型接着剤を一定の厚さに塗付して表面化粧板を接着し、そのまま目地を打たずに外壁として使用する外壁の化粧方法であって、接着剤が、変成シリコーン系接着剤、又は変成シリコーン系エポキシ接着剤である外壁の化粧方法」である点で一致し、以下の点で相違する。
［相違点］
　接着剤が、本願発明においては、耐候性湿気硬化型接着剤であり、「ａ）分子中に１個以上の反応性珪素基を有する高分子化合物（Ａ）及びその硬化促進剤（Ｂ）よりなるシリコーン系及び／又は変成シリコーン系接着剤、及び／又はｂ）上記（Ａ）及び／又は（Ｂ）とエポキシ基を有する化合物（Ｃ）およびその硬化剤（Ｄ）の混合物よりなる変成シリコーン系エポキシ接着剤であり、上記ａ）及び／又はｂ）に、さらにｃ）分子末端に反応性珪素を有するアクリル酸エステル系重合体または共重合体及び／又はメタクリル酸エステル系重合体または共重合体、及び／またはｄ）分子中に少なくとも１個以上の反応性珪素と１個以上のアクリル酸エステル及び／又はメタクリル酸エステルを含む式（Ｉ）で示される化合物（Ｅ）を配合」したものであるのに対し、引用例１に記載の接着剤は、変成シリコーン系接着剤、又は変成シリコーン系エポキシ接着剤ではあるものの、接着剤の具体的な組成が不明である点。
　上記相違点について検討する。
（１）引用例２の合成例２に記載の「γ−メタクリロキシプロピルトリメトキシシラン」は本願発明の式（Ｉ）において、Ｒ１が水素、ｎが３、Ｘが加水分解基であるメトキシ基、Ｒ２が炭素数１のメトキシ基である化合物であり、本願発明の式（Ｉ）で示される化合物（Ｅ）に相当するから、引用例２に記載の合成例２において合成される（Ａ）成分は、本願発明の「ｃ）成分」又は「ｃ）成分及びｄ）成分」に相当し、引用例２に記載「（Ｂ）反応性珪素基を少なくとも１個有するオキシアルキレン系重合体」、「シラノール縮合触媒」及び「エポキシ樹脂硬化剤」は、それぞれ本願発明の「（Ａ）成分」、「（Ｂ）成分」及び「（Ｄ）成分」に相当するから、引用例２には、本願発明の接着剤組成物に含まれる「分子中に１個以上の反応性珪素基を有する高分子化合物（Ａ）及びその硬化促進剤（Ｂ）とエポキシ基を有する化合物（Ｃ）およびその硬化剤（Ｄ）の混合物よりなる変成シリコーン系エポキシ接着剤であり、さらにｃ）分子末端に反応性珪素を有するアクリル酸エステル系重合体または共重合体及び／又はメタクリル酸エステル系重合体または共重合体、又は、ｃ）及びｄ）式（Ｉ）で示される化合物（Ｅ）を配合した接着剤」が具体的に記載されていると認められ、この接着剤は湿気硬化型接着剤であることは明らかである。
　ところで、引用例１に記載の目地を打たない外壁においては、接着剤は外壁表面に一部が露出することになるから、接着剤として耐候性のあるものを選択しなければならないことは明らかである。そして引用例２の接着剤は優れた強度、耐候性を有するものであるから、引用例１記載の外壁の化粧方法の発明において、変成シリコーン系エポキシ接着剤として、引用例２に記載の接着剤を採用し、本願発明を構成することは当業者が容易に想到することができたものと認める。
（２）また、引用例３に記載の「合成例１」で合成された（メタ）アクリル酸アルキルエステルとγ−メタクリロキシプロピルトリメトキシシランを含むモノマー混合液から合成された成分は、本願明細書に記載の合成例１と同一であり、本願発明の「ｃ）成分」又は「ｃ）成分及びｄ）成分」に相当し、「合成例６，７」において合成される「分子末端に反応性珪素基を有するポリオキシプロピレン成分」は本願明細書に記載の合成例８，９で合成される成分と同一であって、本願発明の「（Ａ）成分」に相当し、引用例３に記載の「硬化促進剤」は本願発明の「（Ｂ）成分」に相当するからは、引用例３には、本願発明の接着剤組成物に含まれる、「分子中に１個以上の反応性珪素基を有する高分子化合物（Ａ）及びその硬化促進剤（Ｂ）よりまる変成シリコーン系接着剤であって、さらにｃ）分子末端に反応性珪素を有するアクリル酸エステル系重合体または共重合体及び／又はメタクリル酸エステル系重合体または共重合体、または、ｃ）及びｄ）式（Ｉ）で示される化合物（Ｅ）を配合した湿気硬化型接着剤」が具体的に記載されている。
　そして、引用例３に記載の接着剤は、鋼板の接着に使用できる強度を有するものであり、また耐候性について記載されていないが、引用例３に記載の、分子末端に反応性珪素基を有する（メタ）アクリル酸アルキルエステル重合体と、反応性珪素基を有するポリオキシアルキレンを配合した接着剤が、耐候性、耐水性を有し、構造用接着剤等として使用されることは、例えば特開昭６３−１１２６４２号公報、特開平２−５２９３５号公報に記載されているように周知であることから、引用例１記載の外壁の化粧方法において、変成シリコーン系接着剤として、引用例３に記載の湿気硬化性接着剤を採用し、本願発明を構成することは当業者が容易に想到することができたものと認める。
　
４．むすび
　したがって、本願発明は、上記引用例１及び引用例２に記載された発明に基いて、又は引用例１及び引用例３に記載された発明に基いて当業者が容易に発明をすることができたものであるから、特許法第２９条第２項の規定に該当し、特許を受けることができない。